(57)【要約】      （修正有）【課題】道路工事現場等で作業を行う作業者を車両の飛込みなどの危険状況から保護することが可能なヘルメット装着型警告伝達装置を提供する。【解決手段】作業者に警告を伝達する、ヘルメット装着型警告伝達装置であって、ヘルメットに装着されるケースと、ケースの背面壁１１ａから外部に突出する打撃芯２１と、打撃芯を軸方向に往復駆動する駆動部２２と、ケースに収納され、警告信号を無線で受信する板状のアンテナ２３と、ケースに収納され、アンテナが警告信号を受信すると駆動部を作動させる制御基板２４と、ケースの背面壁と制御基板との間に配置され、駆動部及び制御基板に電力を供給するバッテリ２５とを有し、アンテナが、制御基板の側方に制御基板に対して垂直に配置されていることを特徴とする。【選択図】図６
0003226514.tif 000002
【実用新案登録請求の範囲】
【請求項１】
作業者に警告を伝達する、ヘルメット装着型警告伝達装置であって、
ヘルメットに装着されるケースと、
前記ケースの背面壁から外部に突出する打撃芯と、
前記打撃芯を軸方向に往復駆動する駆動部と、
前記ケースに収納され、警告信号を無線で受信する板状のアンテナと、
前記ケースに収納され、前記アンテナに接続されて前記アンテナが警告信号を受信すると前記駆動部を作動させる制御基板と、
前記ケースの背面壁と前記制御基板との間に配置され、前記駆動部及び前記制御基板に電力を供給するバッテリと、を有し、
前記アンテナが、前記制御基板の側方に前記制御基板に対して垂直に配置されていることを特徴とするヘルメット装着型警告伝達装置。
【請求項２】
前記ケースの両側部に、それぞれ前記ヘルメットへの装着用のベルトが取り付けられる装着部が設けられ、
前記アンテナが、一方の前記装着部と前記制御基板との間に配置されている、請求項１に記載のヘルメット装着型警告伝達装置。
【考案の詳細な説明】
【技術分野】
【０００１】
本考案は、作業者を車両の飛込みなどの危険状況から保護するためのヘルメット装着型警告伝達装置に関する。
【背景技術】
【０００２】
例えば、自動車等の車両が走行する道路の所定の車線上において工事等の作業を行なう場合には、円錐形のパイロン等を当該作業が行われる車線に配置して、車両の侵入を禁止する作業エリアを設定するのが一般的である。
【０００３】
従来、上記のような作業エリアに設置されて、作業エリアで作業をする作業者を車両の飛込みから保護するための車両飛び込まれ警告装置として、作業エリアに平面アレイアンテナを備えたドップラーレーダを設置し、このドップラーレーダにより、他の車線を走行している車両を検知することなく、作業エリアが設置された車線を当該作業エリアに向けて走行してくる車両の、平面アレイアンテナから予め設定された設定距離だけ離れた位置における速度を正確に検知し、当該車両の速度が予め設定された設定速度以上であるときに作業者に向けて警告を発して、作業者に車両が作業エリアに飛び込む虞があることを警告する構成のものが知られている（例えば特許文献１参照）。
【０００４】
一方、森林作業現場、土木や鉄道などの工事・修築現場、工場の製造現場などの騒音環境下において、作業員に緊急事態が生じた場合、この事態を他の作業員に警告として確実に知らせるために、業務用無線機として用いられているトランシーバを利用し、作業員が同時に携帯するマイク付きのユニット本体に、トランシーバからの緊急信号を送受信する送受信回路を配置し、被災した作業員の緊急状態を、近くにいる他の作業員のヘルメットにキツツキハンマユニットの打撃ハンマで打音して騒音環境下でも確実に通知する情報伝達システムも知られている（例えば特許文献２参照）。
【先行技術文献】
【特許文献】
【０００５】
【特許文献１】特許第６０３４９１４号公報
【特許文献２】特開２０１７−２１５９１５号公報
【考案の概要】
【考案が解決しようとする課題】
【０００６】
しかしながら、上記従来の車両飛び込まれ警告装置から発信された警告情報は、１〜２秒程度の短時間で作業者が危険回避行動をとることができるように送信される必要があるため、作業者にこうした危険回避行動をとらせるには、電波状況が好適でなく、かつ騒音の状況下でも、作業者が装着した警告受信装置が確実に警告情報を受信し、かつ作業者に伝達することが要求される。警告情報受信装置が受信した警告情報を確実に作業者に伝達するには、作業者が必携するヘルメットに警告情報受信装置を装着することが有効であるが、長時間の作業時間においても常に警告情報を受信可能とする電力を維持できる小型バッテリも必要である。このように、長時間の作業時間、電波状況が好適でなく、かつ騒音の状況においても、警告情報を確実に受信し、かつ作業者に警告情報を確実に伝達可能とするための警告情報受信装置を実現するための実装は困難であった。
【０００７】
本考案の目的は、このような点を解決することを課題とするものであり、その目的は、道路工事現場等で作業を行う作業者を車両の飛込みなどの危険状況から保護することが可能な改良されたヘルメット装着型警告伝達装置を提供することにある。
【課題を解決するための手段】
【０００８】
本考案のヘルメット装着型警告伝達装置は、作業者に警告を伝達する、ヘルメット装着型警告伝達装置であって、ヘルメットに装着されるケースと、前記ケースの背面壁から外部に突出する打撃芯と、前記打撃芯を軸方向に往復駆動する駆動部と、前記ケースに収納され、警告信号を無線で受信する板状のアンテナと、前記ケースに収納され、前記アンテナに接続されて前記アンテナが警告信号を受信すると前記駆動部を作動させる制御基板と、前記ケースの背面壁と前記制御基板との間に配置され、前記駆動部及び前記制御基板に電力を供給するバッテリと、を有し、前記アンテナが、前記制御基板の側方に前記制御基板に対して垂直に配置されていることを特徴とする。
【０００９】
本考案のヘルメット装着型警告伝達装置は、上記構成において、前記ケースの両側部に、それぞれ前記ヘルメットへの装着用のベルトの端部が取り付けられる装着部が設けられ、前記アンテナが、一方の前記装着部と前記制御基板との間に配置されているのが好ましい。
【考案の効果】
【００１０】
本考案によれば、道路工事現場等で作業を行う作業者を車両の飛込みなどの危険状況から保護することが可能な改良されたヘルメット装着型警告伝達装置を提供することができる。
【図面の簡単な説明】
【００１１】
【図１】本考案の一実施の形態であるヘルメット装着型警告伝達装置の使用状態を示す説明図である。
【図２】図１に示すヘルメット装着型警告伝達装置の正面図である。
【図３】図１に示すヘルメット装着型警告伝達装置の背面図である。
【図４】図３におけるＡ−Ａ線に沿う断面図である。
【図５】図１に示すヘルメット装着型警告伝達装置の、蓋体を開いた状態の正面図である。
【図６】図５におけるＢ−Ｂ線に沿う断面図である。
【図７】図５におけるＣ−Ｃ線に沿う断面図である。
【考案を実施するための形態】
【００１２】
以下、図面を参照して本考案をより具体的に例示説明する。
【００１３】
本考案の一実施の形態であるヘルメット装着型警告伝達装置１は、作業者を車両の飛込みなどの危険状況から保護するためのものである。ヘルメット装着型警告伝達装置１は、例えば、車両飛び込まれ警告装置２から無線で送信された警告信号を受信したときに作動して、作業者に警告を伝達する用途に使用される。
【００１４】
ヘルメット装着型警告伝達装置１と車両飛び込まれ警告装置２との間の無線通信は、例えば２．４ＧＨｚ帯の中距離ナローバンド無線（ＩＥＥＥ８０２．１５.４）などの、特定小電力無線を採用することができるが、これに限らず、種々の規格乃至技術の無線通信を」用いるようにしてもよい。
【００１５】
車両飛び込まれ警告装置２は、パイロン等を配置することで道路の所定の車線上に設定された作業エリアに配置され、平面アレイアンテナを備えたドップラーレーダ２ａにより、当該車線を走行する車両の、平面アレイアンテナから設定距離だけ離れた位置における速度を検知し、当該車両の速度が予め設定された設定速度以上であるときに、当該作業エリアで作業を行う作業者に向けて警告信号を無線で送信し、車両が作業エリアに飛び込む虞があることを警告するものである。
【００１６】
ヘルメット装着型警告伝達装置１は、車両飛び込まれ警告装置２の子機として、作業者が装着するヘルメット３にベルト４を用いて装着して使用される。ベルト４としては、例えばゴムベルトを用いることができる。ヘルメット装着型警告伝達装置１は、車両飛び込まれ警告装置２から無線で送信された警告信号を受信したときに作動して、ヘルメット３に打撃を繰り返し加えることで、作業者に車両が作業エリアに飛び込む虞があることを警告する。
【００１７】
図２〜図４に示すように、ヘルメット装着型警告伝達装置１は、ヘルメット３にベルト４を用いて装着されるケース１０を備えている。ケース１０は、ケース本体１１と、ケース本体１１に着脱可能に装着された蓋体１２とを備えている。ケース本体１１は、背面壁１１ａ、天壁１１ｂ、底壁１１ｃ及び一対の側壁１１ｄを備えたバスタブ形状となっており、その開口は蓋体１２により閉塞されている。
【００１８】
ケース１０の両側部には、それぞれヘルメット３への装着用のベルト４が取り付けられる装着部１３が設けられている。本実施の形態では、それぞれの装着部１３は、ケース１０を蓋体１２の側から背面壁１１ａに向けて貫通する通し孔として構成されている。ベルト４は、長手方向の両端側部分が、対応する装着部１３に挿通されることでケース１０に装着される。ケース１０は、装着部１３に装着されたベルト４により、背面壁１１ａがヘルメット３の側を向くとともに天壁１１ｂがヘルメット３の天面側を向く姿勢でヘルメット３に装着される。
【００１９】
ケース１０の背面壁１１ａには、底壁１１ｃに隣接して一対の滑り止めゴム１４がネジ止めにより取り付けられている。一対の滑り止めゴム１４は、ケース１０がヘルメット３に装着されたときにヘルメット３の表面に当接して、ヘルメット３に対するケース１０の滑りを抑制する。これにより、ヘルメット３に装着されたヘルメット装着型警告伝達装置１が、ヘルメット３に対して位置ずれを生じたり、ヘルメット３から外れたりすることを抑制することができる。
【００２０】
蓋体１２には、ヘルメット装着型警告伝達装置１の電源を入り切りするための電源ボタン１５及び電源が入ったことを表示するための電源ランプ１６が設けられている。また、蓋体１２には、チャンネル切り替えボタン１７、４つのチャンネル表示ランプ１８ａ〜１８ｄ及び警告信号を受信していることを示す受信確認ランプ１９が設けられている。チャンネル切り替えボタン１７を押すことで、ヘルメット装着型警告伝達装置１が受信可能な警告信号のチャンネルを切り替えることができ、選択されたチャネルのチャンネル表示ランプ１８ａ〜１８ｄが点灯することで選択したチャンネルを確認することができる。
【００２１】
図４〜図７に示すように、ケース１０の内部には、打撃芯２１、駆動部２２、アンテナ２３、制御基板２４及びバッテリ２５が収納されている。
【００２２】
打撃芯２１は、鋼材製となっており、断面が円形で細長い棒状の先端部分２１ａを有している。先端部分２１ａは、背面壁１１ａに設けられた貫通孔１１ｅを通してケース１０の背面壁１１ａから外部に突出しており、ヘルメット装着型警告伝達装置１がヘルメット３に装着された状態においてヘルメット３の表面に当接可能となっている。打撃芯２１のケース１０の内部に収容された部分には、貫通孔１１ｅよりも大経のフランジ部２１ｂが一体に設けられている。打撃芯２１は、フランジ部２１ｂが背面壁１１ａの内面に当接することで、ケース１０に対して抜け止めされている。また、打撃芯２１は先端部分２１ａよりも大経の鉄心部２１ｃを一体に備えており、鉄心部２１ｃから延びる支持軸部２１ｄにおいて駆動部２２に軸方向に往復動作自在に支持されている。駆動部２２とフランジ部２１ｂとの間にはスプリング２６が配置されており、打撃芯２１はスプリング２６により先端部分２１ａが貫通孔１１ｅを通してケース１０の外部に突出する方向に付勢されている。
【００２３】
背面壁１１ａには、貫通孔１１ｅ及び打撃芯２１の先端部分２１ａを取り囲むガード部材２７が取り付けられている。ガード部材２７の表面には、打撃芯２１の先端部分２１ａを中心とした円環状の装着溝２７ａが設けられており、この装着溝２７ａには円環状のゴムワッシャー２８が装着されている。ゴムワッシャー２８は、ケース１０がヘルメット３に装着されたときにヘルメット３の表面に当接して、ヘルメット３に対するケース１０の滑りを抑制する。このとき、ゴムワッシャー２８のケース２０に対するズレは、ガード部材２７により抑制される。
【００２４】
駆動部２２は、打撃芯２１を軸方向に往復駆動するように構成されている。本実施の形態では、駆動部２２は制御基板２４に実装されたソレノイドを有する構成となっている。駆動部２２は、スプリング２６によりケース１０の背面壁１１ａから突出する方向に付勢されている打撃芯２１の鉄心部２１ｃを、ケース１０の内部に引き込むように、ソレノイドが発生する磁力によって所定のタイミングで繰り返し吸引することで、打撃芯２１を軸方向に往復動させることができる。
【００２５】
ヘルメット装着型警告伝達装置１がヘルメット３に装着された状態で、駆動部２２により駆動されて打撃芯２１が軸方向に往復動すると、打撃芯２１のケースの背面壁１１ａから突出する先端部分２１ａがヘルメット３に繰り返し打撃を加え、これによりヘルメット３に振動が加えられるとともに繰り返しの打撃音が発生する。
【００２６】
アンテナ２３は、細長い長方形状の外形を有する板状となっている。アンテナ２３は、長手方向の一端を天壁１１ｂの側に向け、長手方向の他端を底壁１１ｃの側に向けるとともに側壁１１ｄに平行な姿勢でケース本体１１の内部に配置されている。アンテナ２３は、導線が長手方向に沿って延びる半波長ダイポールアンテナとなっており、車両飛び込まれ警告装置２から無線で送信された警告信号を無線で受信することができる。
【００２７】
制御基板２４は矩形の板状となっており、背面壁１１ａと平行な姿勢で、背面壁１１ａとの間に所定の間隔を空けてケース本体１１の開口部分に沿って配置されている。
【００２８】
ここで、本実施の形態のヘルメット装着型警告伝達装置１では、板状のアンテナ２３は、一方の装着部１３と制御基板２４との間において、制御基板２４の側方に制御基板２４に対して垂直に配置されている。より具体的には、板状のアンテナ２３は、制御基板２４の一方の装着部１３に隣接する側辺と平行であるとともに、制御基板２４に対して垂直な姿勢となって、ケース１０の内部に配置されている。また、制御基板２４とバッテリ２５との間には間隔が空けられており、板状のアンテナ２３は、制御基板２４よりも背面壁１１ａの側にずれて配置されて、その大部分が当該間隔に対向するように配置されている。
【００２９】
アンテナ２３は、制御基板２４に設けられたアンテナ接続部２４ａに接続されている。アンテナ２３が受信した警告信号はアンテナ接続部２４ａを通して制御基板２４に入力される。制御基板２４には駆動部２２の作動を制御するための電子部品や、上記した電源ボタン１５、電源ランプ１６、チャンネル切り替えボタン１７、チャンネル表示ランプ１８ａ〜１８ｄ及び受信確認ランプ１９に対応した電子部品が実装されるとともに、上記の通り駆動部２２が実装されている。制御基板２４は、アンテナ２３が警告信号を受信すると、打撃芯２１を作動させるように駆動部２２を制御する。
【００３０】
バッテリ２５は、例えばリチウムイオンポリマー電池等の充電可能な二次電池である。バッテリ２５は、矩形箱状の外形を有し、ケース１０の背面壁１１ａと制御基板２４との間に配置されている。バッテリ２５は、制御基板２４に接続されており、駆動部２２及び制御基板２４に電力を供給する。ケース本体１１には、充電器の差込口（不図示）が設けられており、商用電源等に接続された充電器を差込口に接続することで、バッテリ２５を充電することができる。
【００３１】
上記構成のヘルメット装着型警告伝達装置１は、作業者が装着しているヘルメット３にベルト４を用いて装着された状態において、車両飛び込まれ警告装置２から無線で送信された警告信号をアンテナ２３が受信すると、制御基板２４により制御されて駆動部２２が作動を開始する。駆動部２２が作動すると、駆動部２２により駆動されて打撃芯２１が軸方向に往復動し、打撃芯２１の先端部分２１ａがヘルメット３に繰り返し打撃を加えてヘルメット３に振動が加えられるとともに繰り返しの打撃音が発生し、作業者に警告が伝達される。
【００３２】
このように、本実施の形態のヘルメット装着型警告伝達装置１では、車両飛び込まれ警告装置２から無線で送信された警告信号をアンテナ２３が受信したときに、当該警告を作業者にヘルメット３への振動乃至打撃音で伝達することができるので、騒音環境下でも確実に作業者に警告を伝達することができる。
【００３３】
また、本実施の形態のヘルメット装着型警告伝達装置１では、ケース１０の内部において、ケース１０の背面壁１１ａと制御基板２４との間にバッテリ２５を配置するとともに、板状のアンテナ２３を、制御基板２４の側方に制御基板２４に対して垂直に配置するようにしたので、バッテリ２５として容量の大きいものを用いつつ、適切な大きさのアンテナ２３を、制御基板２４やバッテリ２５の配置による影響を抑制しつつケース１０の内部に配置することができる。これにより、ヘルメット装着型警告伝達装置１を、１回のバッテリ２５の充電で長時間利用可能なものとしつつ、ヘルメット装着型警告伝達装置１と車両飛び込まれ警告装置２との間の無線による通信の信頼性を確保することができる。
【００３４】
車両飛び込まれ警告装置２から発信された警告信号は、１〜２秒程度の短時間で作業者が危険回避行動をとることができるように送信される必要があるが、上記の通り、本実施の形態のヘルメット装着型警告伝達装置１では、信頼性の高い通信により、車両飛び込まれ警告装置２から発信された警告信号をアンテナ２３により確実に受信することができるとともに、当該警告信号を受信したときに、打撃芯２１が加えるヘルメット３の振動乃至打撃音で、騒音環境下でも警告を確実に作業者に伝達することができるので、作業者を車両の飛び込みから高い精度で保護することが可能である。
【００３５】
さらに、本実施の形態のヘルメット装着型警告伝達装置１では、板状のアンテナ２３を、一方の装着部１３と制御基板２４との間に配置するようにしたので、ヘルメット３にヘルメット装着型警告伝達装置１が装着された作業者が起立姿勢のときに、板状のアンテナ２３の導線が上下方向を向くようにして、離れた位置にある車両飛び込まれ警告装置２から無線で送信された警告信号をアンテナ２３により確実の受信させることができる。これにより、ヘルメット装着型警告伝達装置１の通信の信頼性をより高めることができる。
【００３６】
本考案は前記実施の形態に限定されるものではなく、その要旨を逸脱しない範囲で種々変更可能であることはいうまでもない。
【００３７】
例えば、前記実施の形態では、ヘルメット装着型警告伝達装置１を、車両飛び込まれ警告装置２から無線で送信された警告信号を受信したときに作動して、作業者に警告を伝達する用途に使用されるものとしたが、これに限らず、例えば、工事現場で用いられるトランシーバなど、車両飛び込まれ警告装置２以外の他の危険監視装置等から無線で送信された警告信号を受信したときに作動して、作業者に警告を伝達する用途に使用されるものとしてもよい。
【符号の説明】
【００３８】
１    ヘルメット装着型警告伝達装置
２    車両飛び込まれ警告装置
２ａ  ドップラーレーダ
３    ヘルメット
４    ベルト
１０    ケース
１１    ケース本体
１１ａ  背面壁
１１ｂ  天壁
１１ｃ  底壁
１１ｄ  側壁
１１ｅ  貫通孔
１２    蓋体
１３    装着部
１４    滑り止めゴム
１５    電源ボタン
１６    電源ランプ
１７    チャンネル切り替えボタン
１８ａ〜１８ｄ  チャンネル表示ランプ
１９    受信確認ランプ
２１    打撃芯
２１ａ  先端部分
２１ｂ  フランジ部
２１ｃ  鉄心部
２１ｄ  支持軸部
２２    駆動部
２３    アンテナ
２４    制御基板
２４ａ  アンテナ接続部
２５    バッテリ
２６    スプリング
２７    ガード部材
２７ａ  装着溝
２８    ゴムワッシャー
【図１】
0003226514.tif 000003
【図２】
0003226514.tif 000004
【図３】
0003226514.tif 000005
【図４】
0003226514.tif 000006
【図５】
0003226514.tif 000007
【図６】
0003226514.tif 000008
【図７】
0003226514.tif 000009